【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
医療用流体ラインの開口端に取り付けられるメスコネクタと、
前記メスコネクタの開口を覆うキャップと、
を備えた医療用キャップ付コネクタであって、
前記キャップは、
前記メスコネクタの外周を覆う外筒と、
外筒の一端を覆う天部と、
前記外筒内において軸方向に突出し、前記メスコネクタの内部に進入するボス部であって、前記メスコネクタ内部の第一進入位置まで進入した際に前記メスコネクタ内面との間に間隙を有するボス部と、
前記ボス部が前記第一進入位置まで進入した際に、前記メスコネクタの一部と当接することで前記ボス部の更なる進入を規制する第一規制部と、
前記外筒の内面に形成され、前記メスコネクタの外周面に形成された雄ネジと螺合する雌ネジであって、前記ボス部が前記第一進入位置まで到達した際に、前記メスコネクタの外周面に形成された雄ネジと螺合開始し、前記キャップを軸周りに回転させることにより、前記ボス部を前記第一進入位置より奥側に案内する雌ネジと、
を有することを特徴とする医療用キャップ付コネクタ。
【請求項２】
請求項１に記載の医療用キャップ付コネクタであって、
前記キャップは、
前記ボス部が前記第一進入位置に到達した際に、前記メスコネクタの一部と当接することにより、前記ボス部の更なる進入を規制する第一規制部を有し、
前記第一規制部は、
前記ボス部が前記第一進入位置に到達した際に、前記メスコネクタの外周縁と当接するべく前記外筒の内周面に形成された中央凸部と、
前記ボス部が前記第一進入位置に到達した際に、前記メスコネクタの内周縁と当接するべく、前記ボス部に設けられた段差部と、
を含む、ことを特徴とする医療用キャップ付コネクタ。
【請求項３】
請求項２に記載の医療用キャップ付コネクタであって、
前記ボス部は、第一の操作により前記メスコネクタ外部から前記第一進入位置まで進入し、第二の操作により前記第一進入位置から前記第二進入位置まで進入し、
前記第一の操作は、前記キャップを前記メスコネクタに対して軸方向に押し込む操作であり、
前記第二の操作は、前記第一進入位置において、前記キャップを前記メスコネクタに対して軸周りに回転させて、前記雌ネジと前記雄ネジを螺合させる操作を含む、
ことを特徴とする医療用キャップ付コネクタ。
【請求項４】
請求項１から３のいずれか１項に記載の医療用キャップ付コネクタであって、
前記ボス部は、先端に近づくにつれて縮径する外形を有し、
前記メスコネクタは、奥側に進むにつれて縮径する内形を有する、
ことを特徴とする医療用キャップ付コネクタ。
【請求項５】
請求項１から４のいずれか１項に記載の医療用キャップ付コネクタであって、
前記外筒の内周面には、前記メスコネクタの外周縁と当接することにより、前記キャップの前記メスコネクタ内部から完全離脱を規制する抜け防止部を有する、
ことを特徴とする医療用キャップ付コネクタ。
【請求項６】
医療用流体ラインの開口端に取り付けられるメスコネクタと、
前記メスコネクタの開口を覆うキャップと、
を備えた医療用キャップ付コネクタであって、
前記キャップは、第一の操作により前記メスコネクタ外部から前記メスコネクタ内部の第一進入位置まで進入し、第二の操作により前記メスコネクタ内部の前記第一進入位置から第二進入位置まで進入する進入部であって、前記第一進入位置において、前記メスコネクタの内面との間に間隙を形成する進入部を有し、
前記メスコネクタの内面と前記キャップとの間の間隙は、滅菌のための熱処理を施す前の段階において、前記熱処理により生じる前記メスコネクタの内径変化量以上である、
ことを特徴とする医療用キャップ付コネクタ。
【手続補正２】
【補正対象書類名】明細書
【補正対象項目名】０００９
【補正方法】変更
【補正の内容】
【０００９】
本発明のキャップ付コネクタは、医療用流体ラインの開口端に取り付けられるメスコネクタと、前記メスコネクタの開口を覆うキャップと、を備えた医療用キャップ付コネクタであって、前記キャップは、前記メスコネクタの外周を覆う外筒と、外筒の一端を覆う天部と、前記外筒内において軸方向に突出し、前記メスコネクタの内部に進入するボス部であって、前記メスコネクタ内部の第一進入位置まで進入した際に前記メスコネクタ内面との間に間隙を有するボス部と、前記ボス部が前記第一進入位置まで進入した際に、前記メスコネクタの一部と当接することで前記ボス部の更なる進入を規制する第一規制部と、前記外筒の内面に形成され、前記メスコネクタの外周面に形成された雄ネジと螺合する雌ネジであって、前記ボス部が前記第一進入位置まで到達した際に、前記メスコネクタの外周面に形成された雄ネジと螺合開始し、前記キャップを軸周りに回転させることにより、前記ボス部を前記第一進入位置より奥側に案内する雌ネジと、を有することを特徴とする。
【手続補正３】
【補正対象書類名】明細書
【補正対象項目名】００１０
【補正方法】変更
【補正の内容】
【００１０】
好適な態様では、前記キャップは、前記ボス部が前記第一進入位置に到達した際に、前記メスコネクタの一部と当接することにより、前記ボス部の更なる進入を規制する第一規制部を有し、前記第一規制部は、前記ボス部が前記第一進入位置に到達した際に、前記メスコネクタの外周縁と当接するべく前記外筒の内周面に形成された中央凸部と、前記ボス部が前記第一進入位置に到達した際に、前記メスコネクタの内周縁と当接するべく、前記ボス部に設けられた段差部と、を含む。他の好適な態様では、前記ボス部は、第一の操作により前記メスコネクタ外部から前記第一進入位置まで進入し、第二の操作により前記第一進入位置から前記第二進入位置まで進入し、前記第一の操作は、前記キャップを前記メスコネクタに対して軸方向（本明細書において「軸」とは外筒が回転する際に回転運動の中心線をいい、「軸方向」とは前記中心線の長さ方向をいう）に押し込む操作であり、前記第二の操作は、前記第一進入位置において、前記キャップを前記メスコネクタに対して軸周りに回転させて、前記雌ネジと前記雄ネジを螺合させる操作を含む。さらに他の好適な態様では、前記ボス部は、先端に近づくにつれて縮径する外形を有し、前記メスコネクタは、奥側に進むにつれて縮径する内形を有する。また、さらに他の好適な態様では、前記外筒の内周面には、前記メスコネクタの外周縁と当接することにより、前記キャップの前記メスコネクタ内部から完全離脱を規制する抜け防止部を有する。
【手続補正４】
【補正対象書類名】明細書
【補正対象項目名】００１１
【補正方法】変更
【補正の内容】
【００１１】
他の本発明であるキャップ付コネクタは、医療用流体ラインの開口端に取り付けられるメスコネクタと、前記メスコネクタの開口を覆うキャップと、を備えた医療用キャップ付コネクタであって、前記キャップは、第一の操作により前記メスコネクタ外部から前記メスコネクタ内部の第一進入位置まで進入し、第二の操作により前記メスコネクタ内部の前記第一進入位置から第二進入位置まで進入する進入部であって、前記第一進入位置において、前記メスコネクタの内面との間に間隙を形成する進入部を有し、前記メスコネクタの内面と前記キャップとの間の間隙は、滅菌のための熱処理を施す前の段階において、前記熱処理により生じる前記メスコネクタの内径変化量以上である、ことを特徴とする。